(57)【要約】      （修正有）【課題】イヤホンのピンに外れ防止部分を取り付け、イヤホン使用機器の差し込み口に掛けることによりワンタッチでのみ取り外し可能な外れ防止イヤホンを提供する。【解決手段】イヤホン本体１のピン５に外れ防止部分を１〜３個設け、例えばすべて設ける事とすると、２、３、４の外れ防止部分をワンタッチでピンに出し入れ自在になるように突起部で構成する。イヤホン本体の外れ防止２、３、４をそれぞれ対応するイヤホン使用機器の差し込み口に掛けることにより装着可能とし、且つ、イヤホンのピンをイヤホン使用機器の対応する差し込み口に差し込み掛け装着することにより、イヤホンの外れを防止する。【選択図】図１
0003184765.tif 000002
【実用新案登録請求の範囲】
【請求項１】
イヤホンのピンに出し入れ自在の外れ防止部分を設け、イヤホン使用機器の差し込み部分の中に外れ防止部分を掛けイヤホン本体とイヤホン使用機器を外れないようにすることを自在にすると共に取り外しをワンタッチでできるというところを特徴とする外れ防止イヤホン
【考案の詳細な説明】
【技術分野】
【０００１】本考案は、イヤホンピン部分に外れ防止部分を設けた、イヤホンに関するものである。
【背景技術】
【０００２】イヤホン使用機器にイヤホンを使用する場合、簡単な取り外し方で使用していた。
【先行技術文献】
【０００３】
【特許文献１】なし
【非特許文献】
【０００４】
【非特許文献１】なし
【公安の概要】
【考案が解決しようとする課題】
【０００５】イヤホンが外れた時の音もマナーに関わり、また使用も制限される。
さらに音を出してはいけない場所や時間帯などでイヤホンが外れてしまってはイヤホン使用機器の使用に負担である。
従ってイヤホンの機能と外れ防止機能を一体化することによりイヤホンの使用を場所や時間帯などの負担なく安心して使用することが可能になり前述の欠点を解決しようとするものである。
【課題を解決するための手段】
【０００６】本考案は、イヤホンのピンに外れ防止部分を設け、ピンの差し込み口の中の取り付け可能部分にて出し入れ自在となるようにし、その取り付け可能部分に掛け装着し、イヤホンのピンがイヤホン使用機器の差し込み口の中にしっかり差し込まれたことにより防止可能し、且つ、イヤホン本体のピンに設けた外れ防止部分によりイヤホン使用機器等使用された差し込み口の中に掛けることを自在とすることにより問題点を解決している。
【考案の効果】
【０００７】上述の様に、本考案の外れ防止イヤホンはイヤホン使用機器に使用することは勿論、外れ防止機能をイヤホンの本体に設けたので、場所や時間帯等を特に気にせず安心して使用でき、しかもワンタッチで取り外し可能にできることにより従来通り使用できると共にマナーや使用制限を防止し役立つ。
【図面の簡単な説明】
【０００８】
【図１】本考案のイヤホンピンの外れ防止部分の一実施例を示す側面図である。
【図２】本考案を接続する場合の差し込み口の部品のパターンの１つの例である。
【図３】本考案の外れ防止イヤホンの正面図である。
【図４】本考案と組み合わせられるスイッチ式（１）のパターンの１つの例の側面図である。
【図５】本考案と組み合わせられるスイッチ式（１）のパターンの１つの例の正面図である。
【図６】本考案と組み合わせられるスライド式（１）のパターンの１つの例の側面図である。
【図７】本考案と組み合わせられるスライド式（１）のパターンの１つの例の正面図である。
【図８】本考案と組み合わせられるスイッチ式（２）のパターンの１つの例の側面図である。
【図９】本考案と組み合わせられるスイッチ式（２）のパターンの１つの例の正面図である。
【図１０】本考案と組み合わせられるスライド式（２）のパターンの１つの例の側面図である。
【図１１】本考案と組み合わせられるスライド式（２）のパターンの１つの例の正面図である。
【参考を実施するための形態】
【０００９】イヤホン本体のピンのいくつかの外れ防止部分はスイッチまたはスライドなどによって出し入れし、外れ防止部分を出した時、イヤホン本体のピンをイヤホン使用機器の差し込み口の中にしっかりと装着し、ピンを差し込み口の中にしっかりと装着されたとき以外出さないようにし、外れ防止部分を差し込み口の中の部品の決まった場所に固定された時スイッチまたはスライドなどにより出して外れ防止とする。
また、イヤホン本体のピン部分に設けた外れ防止部分はスイッチまたはスライドでしまうことにより、イヤホンをイヤホン使用機器から外したり、取り付けたり自在となる。
【実施図】
【００１０】以下、添付図面に従って→実施例を説明する。１はイヤホン本体、５はイヤホン本体のピン、２，３，４、は外れ防止部分本体、６は外れ防止部分本体の拡大図、７は外れ防止部分本体拡大図６の先端、２はイヤホン本体１のピン５に設けた外れ防止部分でこの外れ防止部分２はイヤホン使用機器の差し込み口の中の部品本体１ａの差し込み口から最初の部分２ａにて装着し、外れ防止を自在となる。
外れ防止部分の真ん中の３はイヤホン使用機器の差し込み口の中の部品本体１ａの差し込み口から２番目の部分で真ん中の部分３ａにて装着し、外れ防止を自在となる。外れ防止部分４はイヤホン本体１のピン５の先端付近でイヤホン使用機器の差し込み口の中の部品本体１ａの差し込み口から３番目で差し込み口入口から最後の部分４ａにて装着し外れ防止を自在となる。
【００１１】７は前述のイヤホン外れ防止本体６の先端付近であり、８はイヤホン外れ防止本体６を出し入れするためのスイッチのパターンの一つの例であり、１０はイヤホン外れ防止本体６の出し入れするためのスライド部品のパターンの一つの例であり、１１は１０をスライドさせるためのスライド範囲の部品の一つの例である。
【００１２】本考案の一実施例は上述の如き構成からなるものであるから、イヤホン本体１をイヤホン使用機器に接続してもちいることはもちろんであるが、それぞれまたはいくつかをイヤホン外れ防止本体６のイヤホン外れ防止２，３，４を２ａ、３ａ、４ａに掛けスイッチまたはスライドさせれば装着され、イヤホンを外れ防止される。
【符号の説明】
【００１３】１  イヤホン本体
２  イヤホン外れ防止１番目
３  イヤホン外れ防止２番目
４  イヤホン外れ防止３番目
２ａ  イヤホン使用機器の差し込み口の中の部品の細部１番目
３ａ  イヤホン使用機器の差し込み口の中の部品の細部２番目
４ａ  イヤホン使用機器の差し込み口の中の部品の細部３番目
５  イヤホン本体のピン
６  イヤホン外れ防止本体
７  イヤホン外れ防止先端付近
８  スイッチ
９  イヤホン本体の違うパターン
１０  スライド部品
１１  スライド範囲の部品
【図１】
0003184765.tif 000003
【図２】
0003184765.tif 000004
【図３】
0003184765.tif 000005
【図４】
0003184765.tif 000006
【図５】
0003184765.tif 000007
【図６】
0003184765.tif 000008
【図７】
0003184765.tif 000009
【図８】
0003184765.tif 000010
【図９】
0003184765.tif 000011
【図１０】
0003184765.tif 000012
【図１１】
0003184765.tif 000013
【手続補正書】
【提出日】平成24年12月20日(2012.12.20)
【手続補正１】
【補正対象書類名】実用新案登録請求の範囲
【補正対象項目名】全文
【補正方法】変更
【補正の内容】
【実用新案登録請求の範囲】
【請求項１】
イヤホン外れ防止をピンの差し込み口の中の取り付け可能部分に設け、イヤホン外れ防止本体を出し入れ自在としたところを特徴とする外れ防止イヤホン
【手続補正書】
【提出日】平成25年2月22日(2013.2.22)
【手続補正１】
【補正対象書類名】実用新案登録請求の範囲
【補正対象項目名】全文
【補正方法】変更
【補正の内容】
【実用新案登録請求の範囲】
【請求項１】
イヤホン外れ防止本体のイヤホン本体のピンにイヤホン外れ防止１番目とイヤホン外れ防止２番目とイヤホン外れ防止３番目をそれぞれまたはいくつか設け、出し入れ自在としたところを特徴とする外れ防止イヤホン
【手続補正書】
【提出日】平成25年4月12日(2013.4.12)
【手続補正１】
【補正対象書類名】実用新案登録請求の範囲
【補正対象項目名】全文
【補正方法】変更
【補正の内容】
【実用新案登録請求の範囲】
【請求項１】
イヤホン本体のピンに、イヤホン外れ防止１番目とイヤホン外れ防止２番目とイヤホン外れ防止３番目をそれぞれまたはいくつか設け、前記イヤホン外れ防止１番目と前記イヤホン外れ防止２番目と前記イヤホン外れ防止３番目は、前記イヤホン本体のピンに出し入れ自在の突起部であることを特徴とする外れ防止イヤホン。